【手続補正書】
【提出日】平成22年3月24日(2010.3.24)
【手続補正１】
【補正対象書類名】明細書
【補正対象項目名】発明の名称
【補正方法】変更
【補正の内容】
【発明の名称】半導体装置、表示装置及び電子機器
【手続補正２】
【補正対象書類名】特許請求の範囲
【補正対象項目名】全文
【補正方法】変更
【補正の内容】
【特許請求の範囲】
【請求項１】
トランジスタと、
保持容量と、
第１のスイッチと、
第２のスイッチと、
第３のスイッチと、
第４のスイッチとを有し、
前記トランジスタのソース及びドレインの一方は画素電極と電気的に接続され、
前記トランジスタのソース及びドレインの一方は前記第３のスイッチを介して第２の配線と電気的に接続され、
前記トランジスタのソース及びドレインの他方は第１の配線に電気的に接続され、
前記トランジスタのゲートは前記第４のスイッチ及び前記第２のスイッチを介して前記第１の配線と電気的に接続され、
前記トランジスタのゲートは前記第４のスイッチ及び前記第１のスイッチを介して第３の配線と電気的に接続され、
前記トランジスタのゲートは前記第４のスイッチ及び前記保持容量を介して前記トランジスタのソース及びドレインの一方と電気的に接続されていることを特徴とする半導体装置。
【請求項２】
トランジスタと、
保持容量と、
第１のスイッチと、
第２のスイッチと、
第３のスイッチと、
第４のスイッチとを有し、
前記トランジスタのソース及びドレインの一方は画素電極と電気的に接続され、
前記トランジスタのソース及びドレインの一方は前記第３のスイッチを介して第２の配線と電気的に接続され、
前記トランジスタのソース及びドレインの他方は第１の配線に電気的に接続され、
前記トランジスタのゲートは前記第２のスイッチを介して前記第１の配線と電気的に接続され、
前記トランジスタのゲートは前記第４のスイッチ及び前記第１のスイッチを介して第３の配線と電気的に接続され、
前記トランジスタのゲートは前記第４のスイッチ及び前記保持容量を介して前記トランジスタのソース及びドレインの一方と電気的に接続されていることを特徴とする半導体装置。
【請求項３】
トランジスタと、
保持容量と、
第１のスイッチと、
第２のスイッチと、
第３のスイッチと、
第４のスイッチとを有し、
前記トランジスタのソース及びドレインの一方は画素電極と電気的に接続され、
前記トランジスタのソース及びドレインの一方は前記第３のスイッチを介して第２の配線と電気的に接続され、
前記トランジスタのソース及びドレインの他方は前記第４のスイッチを介して第１の配線に電気的に接続され、
前記トランジスタのゲートは前記第２のスイッチを介して前記第１の配線と電気的に接続され、
前記トランジスタのゲートは前記第１のスイッチを介して第３の配線と電気的に接続され、
前記トランジスタのゲートは前記保持容量を介して前記トランジスタのソース及びドレインの一方と電気的に接続されていることを特徴とする半導体装置。
【請求項４】
トランジスタと、
保持容量と、
第１のスイッチと、
第２のスイッチと、
第３のスイッチと、
第４のスイッチとを有し、
前記トランジスタのソース及びドレインの一方は前記第４のスイッチを介して画素電極と電気的に接続され、
前記トランジスタのソース及びドレインの一方は前記第４のスイッチ及び前記第３のスイッチを介して第２の配線と電気的に接続され、
前記トランジスタのソース及びドレインの他方は第１の配線に電気的に接続され、
前記トランジスタのゲートは前記第２のスイッチを介して前記第１の配線と電気的に接続され、
前記トランジスタのゲートは前記第１のスイッチを介して第３の配線と電気的に接続され、
前記トランジスタの前記ゲートは前記保持容量及び前記第４のスイッチを介して前記トランジスタのソース及びドレインの一方と電気的に接続されていることを特徴とする半導体装置。
【請求項５】
請求項１乃至請求項４のいずれか一項において、
前記第３のスイッチは整流する機能を有していることを特徴とする半導体装置。
【請求項６】
請求項１乃至請求項５のいずれか一項において、
前記第２の配線は前行もしくは次行の第１乃至第４のスイッチを制御する走査線のいずれか一であることを特徴とする半導体装置。
【請求項７】
請求項１乃至請求項６のいずれか一項において、
前記第１の配線に入力される電位はＶ１もしくはＶ２の二値であり、前記第１のスイッチ乃至前記第３のスイッチが非導通状態であり、なおかつ前記第４のスイッチが導通状態であるときにＶ２の値であり、
Ｖ１は前記第２の配線に入力される電位よりも高い電位であり、その差分は前記トランジスタのしきい値電圧分より大きく、
Ｖ２はＶ１より高い値であることを特徴とする半導体装置。
【請求項８】
請求項１乃至請求項６のいずれか一項において、
前記第１の配線に入力される電位はＶ１もしくはＶ２の二値であり、前記第１のスイッチ乃至前記第３のスイッチが非導通状態であり、なおかつ前記第４のスイッチが導通状態であるときにＶ２の値であり、
Ｖ１は前記第２の配線に入力される電位よりも低い電位であり、その差分は前記トランジスタのしきい値電圧の絶対値分より大きく、
Ｖ２はＶ１より低い値であることを特徴とする半導体装置。
【請求項９】
図３、第１の電位＝Ｖ１、第２の電位＝Ｖ１−Ｖｔｈ−α、第２の電圧＝Ｖｔｈ、第３の電圧＋第１の電位＝第２の電圧＋第４の電圧＝第５の電圧＝データ書き込み、第３の電位＝Ｖ２
ソース及びドレインの一方が第１の配線に電気的に接続され、ソース及びドレインの他方が第２の配線に電気的に接続されるトランジスタと、
前記トランジスタのゲートとソース間の電圧を保持する保持容量と、
前記第１の配線に入力される第１の電位を前記保持容量の一方の電極に印加し、なおかつ前記第２の配線に入力される第２の電位を前記保持容量の他方の電極に印加することにより、前記保持容量に第１の電圧を保持させる手段と、
前記保持容量の電圧を第２の電圧まで放電させる手段と、
前記第１の電位に第３の電圧を加算した電位を前記保持容量の一方の電極に印加し、前記第２の電圧と第４の電圧とを加算した第５の電圧を前記保持容量に保持させる手段と、
前記第１の配線に前記第１の電位とは異なる第３の電位を入力することにより前記トランジスタに設定された電流を負荷に供給する手段とを有することを特徴とする半導体装置。
【請求項１０】
ソース及びドレインの一方が第１の配線に電気的に接続され、ソース及びドレインの他方が第２の配線に電気的に接続されるトランジスタと、
前記トランジスタのゲートとソース間の電圧を保持する保持容量と、
前記第１の配線に入力される第１の電位を前記保持容量の一方の電極に印加し、なおかつ前記第２の配線に入力される第２の電位を前記保持容量の他方の電極に印加することにより、前記保持容量に第１の電圧を保持させる手段と、
前記保持容量の電圧を前記トランジスタのしきい値電圧まで放電させる手段と、
前記第１の電位に第２の電圧を加算した電位を前記保持容量の一方の電極に印加し、前記トランジスタのしきい値電圧と第３の電圧とを加算した第４の電圧を前記保持容量に保持させる手段と、
前記第１の配線に前記第１の電位とは異なる第３の電位を入力することにより前記トランジスタに設定された電流を負荷に供給する手段とを有することを特徴とする半導体装置。
【請求項１１】
請求項９または請求項１０のいずれか一項において、
前記第１の電位は前記第２の電位よりも高い電位であり、その差分は前記トランジスタのしきい値電圧分より大きく、なおかつ前記第１の電位は前記第３の電位より低い値であることを特徴とする半導体装置。
【請求項１２】
請求項９乃至請求項１１のいずれか一項において、
前記第１の電位は前記第２の電位よりも低い電位であり、その差分は前記トランジスタのしきい値電圧の絶対値分より大きく、なおかつ前記第１の電位は前記第３の電位より高い値であることを特徴とする半導体装置。
【請求項１３】
トランジスタと、
第１のスイッチと、
第２のスイッチと、
第３のスイッチとを含む画素を有し、
前記トランジスタのソース及びドレインの一方は画素電極に電気的に接続され、
前記トランジスタのソース及びドレインの一方は前記第３のスイッチを介して第２の配線に電気的に接続され、
前記トランジスタのソース及びドレインの他方は第１の配線と電気的に接続され、
前記トランジスタのゲートは前記第２のスイッチを介して前記第１の配線と電気的に接続され、
前記トランジスタのゲートは前記第１のスイッチを介して第３の配線と電気的に接続され、
前記ゲートには、階調に従った信号が入力されることを特徴とする半導体装置。
【請求項１４】
請求項１乃至請求項１３のいずれか一項において、
前記トランジスタにａ−ＩｎＧａＺｎＯを用いたことを特徴とする半導体装置。
【請求項１５】
請求項１乃至請求項１４のいずれか一項に記載の半導体装置を有する表示装置。
【請求項１６】
請求項１５に記載の表示装置を表示部に有することを特徴とする電子機器。